(57)【要約】  遮音性能を維持しつつ、側壁を容易に取り付けることができるエレベーターの巾木装置を提供する。エレベーターの巾木装置は、かごの床に固定された下側巾木台と、前記下側巾木台の上方に設けられ、前記下側巾木台との間において鉛直方向の隙間を形成した状態で前記かごの内側から前記下側巾木台に固定され、上部の側において前記かごの内側から前記かごの側壁が固定された上側巾木台と、前記下側巾木台または前記上側巾木台に前記かごの内側から取り付けられた際に、前記かごの側壁の間に隙間を形成し、前記下側巾木台と前記上側巾木台とともに前記かごの外側から前記かごの内側へとつながるラビリンス構造の換気経路を形成する巾木本体と、を備えた。
2020225849.tif 000002
【特許請求の範囲】
【請求項１】
かごの床に固定された下側巾木台と、
前記下側巾木台の上方に設けられ、前記下側巾木台との間において鉛直方向の隙間を形成した状態で前記かごの内側から前記下側巾木台に固定され、上部の側において前記かごの内側から前記かごの側壁が固定された上側巾木台と、
前記下側巾木台または前記上側巾木台に前記かごの内側から取り付けられた際に、前記かごの側壁の間に隙間を形成し、前記下側巾木台と前記上側巾木台とともに前記かごの外側から前記かごの内側へとつながるラビリンス構造の換気経路を形成する巾木本体と、
を備えたエレベーターの巾木装置。
【請求項２】
前記下側巾木台は、
鉛直方向に並んで水平面を形成する一対の下側水平部と、
前記一対の下側水平部における前記かごの内側を連結した状態で鉛直面を形成する下側鉛直部と、
を備え、
前記上側巾木台は、
鉛直方向に並んで水平面を形成する一対の上側水平部と、
前記一対の下側水平部における前記かごの外側を連結した状態で鉛直面を形成する上側鉛直部と、
を備えた請求項１に記載のエレベーターの巾木装置。
【請求項３】
前記下側巾木台における上側の下側水平部と前記上側巾木台における下側の上側水平部との間において水平方向に並んだ複数のスペーサー、
を備えた請求項２に記載のエレベーターの巾木装置。
【請求項４】
前記下側巾木台における上側の下側水平部と前記上側巾木台における下側の上側水平部との間において水平方向に並び、前記かごの内側に向けて開口した複数のクリップ、
を備え、
前記巾木本体は、
鉛直面を形成する第１固定部と、
前記第１固定部の上側に連結した状態で前記第１固定部から前記かごの外側に突き出す水平面を形成し、前記複数のクリップに挿入される挿入部と、
鉛直面を形成し、前記かごの外側の面において前記第１固定部を固定し、前記挿入部が前記複数のクリップに挿入された際に前記下側巾木台における上側の下側水平部と前記上側巾木台における下側の上側水平部との間の隙間を前記かごの内側から遮蔽する化粧部と、
前記化粧部の下側に連結した状態した状態で前記化粧部から前記かごの外側に突き出す水平面を形成し、前記挿入部が前記複数のクリップに挿入された際に前記下側巾木台の下側鉛直部に当接する当接部と、
を備えた請求項２または請求項３に記載のエレベーターの巾木装置。
【請求項５】
前記巾木本体は、
前記第１固定部の上方において前記化粧部における前記かごの外側の面に固定された第２固定部と、
前記第２固定部の上側に連結した状態で前記第２固定部から前記かごの外側に突き出す水平面を形成し、前記挿入部が前記複数のクリップに挿入された際に前記上側巾木台の前記一対の上側水平部の間に配置された状態で前記上側巾木台の前記上側鉛直部に接触しない経路変更部と、
を備えた請求項４に記載のエレベーターの巾木装置。
【請求項６】
前記巾木本体における前記かごの外側の面に固定され、音を吸収する吸音材、
を備えた請求項１から請求項５のいずれか一項に記載のエレベーターの巾木装置。
【発明の詳細な説明】
【技術分野】
【０００１】
この発明は、エレベーターの巾木装置に関する。
【背景技術】
【０００２】
特許文献１は、エレベーターの巾木装置を開示する。当該巾木装置は、ラビリンス構造の換気経路を形成する。このため、遮音性能を高めることができる。
【先行技術文献】
【特許文献】
【０００３】
【特許文献１】日本特開２０１２−１８０２１３号公報
【発明の概要】
【発明が解決しようとする課題】
【０００４】
しかしながら、特許文献１に記載の巾木装置においては、かごの内側から側壁を取り付けることができない。このため、側壁の取り付けが困難である。【０００５】
この発明は、上述の課題を解決するためになされた。この発明の目的は、遮音性能を維持しつつ、側壁を容易に取り付けることができるエレベーターの巾木装置を提供することである。
【課題を解決するための手段】
【０００６】
この発明に係るエレベーターの巾木装置は、かごの床に固定された下側巾木台と、前記下側巾木台の上方に設けられ、前記下側巾木台との間において鉛直方向の隙間を形成した状態で前記かごの内側から前記下側巾木台に固定され、上部の側において前記かごの内側から前記かごの側壁が固定された上側巾木台と、前記下側巾木台または前記上側巾木台に前記かごの内側から取り付けられた際に、前記かごの側壁の間に隙間を形成し、前記下側巾木台と前記上側巾木台とともに前記かごの外側から前記かごの内側へとつながるラビリンス構造の換気経路を形成する巾木本体と、を備えた。
【発明の効果】
【０００７】
この発明によれば、上側巾木台は、かごの内側から下側巾木台と側壁とに固定される。巾木本体は、下側巾木台と上側巾木台とともにラビリンス構造の換気経路を形成する。このため、遮音性能を維持しつつ、側壁を容易に取り付けることができる。
【図面の簡単な説明】
【０００８】
【図１】実施の形態１におけるエレベーターの巾木装置が適用されるかごの斜視図である。
【図２】実施の形態１におけるエレベーターの巾木装置が適用されるかごの内部の正面図である。
【図３】図２のＡ−Ａ線における断面図である。
【図４】図２のＢ−Ｂ線における断面図である。
【図５】実施の形態２におけるエレベーターの巾木装置の図３相当図である。
【図６】実施の形態３におけるエレベーターの巾木装置の図３相当図である。
【図７】実施の形態３におけるエレベーターの巾木装置の図４相当図である。
【図８】実施の形態４におけるエレベーターの巾木装置の図３相当図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターの巾木装置が適用されるかごの斜視図である。図２は実施の形態１におけるエレベーターの巾木装置が適用されるかごの内部の正面図である。図３は図２のＡ−Ａ線における断面図である。
【００１１】
図１のエレベーターにおいて、昇降路１は、建築物の各階を貫く。かご２は、昇降路１の内部を昇降し得るように設けられる。かごドア３は、かご２の出入口を開閉し得るように設けられる。
【００１２】
図２に示されるように、かご２は、床４と複数の側壁５と天井６とで形成される。床４は、かご２の下部を形成する。複数の側壁５は、かご２の側部を形成する。天井６は、かご２の上部を形成する。
【００１３】
照明板７は、かご２の天井６に設けられる。複数の巾木装置８の各々は、床４と複数の側壁５の各々との間に設けられる。
【００１４】
図３に示されるように、巾木装置８は、下側巾木台９と複数のクリップ１０と複数のスペーサー１１と上側巾木台１２と巾木本体１３とを備える。
【００１５】
下側巾木台９においては、一対の下側水平部９ａと下側鉛直部９ｂとが一体形成される。一対の下側水平部９ａは、鉛直方向に並んで水平面を形成する。下側鉛直部９ｂは、一対の下側水平部９ａにおけるかご２の内側を連結した状態で鉛直面を形成する。
【００１６】
図示されないが、下側の下側水平部９ａには、複数の床固定用穴が水平方向に並んで形成される。上側の下側水平部９ａには、複数の上側巾木台固定用穴が水平方向に並んで形成される。下側鉛直部９ｂには、複数のクリップ取付用穴が水平方向に並んで形成される。
【００１７】
下側巾木台９は、下側の下側水平部９ａの複数の床固定用穴を利用してかご２の外側からの作業により複数のボルト１４と複数のナット１５により床４に固定される。
【００１８】
複数のクリップ１０は、下側巾木台９の複数のクリップ取付用穴にそれぞれ取り付けられる。複数のクリップ１０は、上側の下側水平部９ａの直上でかご２の内側に向けて開口する。
【００１９】
複数のスペーサー１１は、下側巾木台９における上側の下側水平部９ａの上面に水平方向に並んで配置される。複数のスペーサー１１の上面は、複数のクリップ１０の最も高い位置よりも上方に配置される。
【００２０】
上側巾木台１２は、下側巾木台９の上方に配置される。上側巾木台１２においては、一対の上側水平部１２ａと上側鉛直部１２ｂとが一体形成される。一対の上側水平部１２ａは、鉛直方向に並んで水平面を形成する。上側鉛直部１２ｂは、一対の上側水平部１２ａにおけるかご２の外側を連結した状態で鉛直面を形成する。
【００２１】
図示されないが、下側の上側水平部１２ａには、複数の下側巾木台固定用穴が水平方向に並んで形成される。上側の上側水平部１２ａには、複数の側壁固定用穴が水平方向に並んで形成される。
【００２２】
上側巾木台１２は、下側の上側水平部１２ａの複数の下側巾木台固定用穴と下側巾木台９の複数の上側巾木台固定用穴とを利用してかご２の内側からの作業により複数のボルト１４と複数のナット１５により下側巾木台９に固定される。
【００２３】
上側巾木台１２は、上側の上側水平部１２ａの複数の側壁固定用穴を利用してかご２の内側からの作業により複数のボルト１４と複数のナット１５により側壁５に固定される。
【００２４】
例えば、巾木本体１３は、Ｌ字状の第１取付金１６とＬ字状の化粧板１７とが接着されることにより形成される。
【００２５】
第１取付金１６は、第１固定部１６ａと挿入部１６ｂとを備える。
【００２６】
第１固定部１６ａは、鉛直面を形成する。挿入部１６ｂは、第１固定部１６ａの上側に連結した状態でかご２の外側に突き出す。
【００２７】
化粧板１７は、化粧部１７ａと当接部１７ｂとを備える。
【００２８】
化粧部１７ａは、鉛直面を形成する。化粧部１７ａは、かご２の外側の面において第１固定部１６ａを固定する。化粧部１７ａは、挿入部１６ｂが複数のクリップ１０に挿入された際に下側巾木台９における上側の下側水平部９ａと上側巾木台１２における下側の上側水平部１２ａとの間の隙間をかご２の内側から遮蔽する。当接部１７ｂは、化粧部１７ａの下側に連結した状態で化粧部１７ａからかご２の外側に突き出す水平面を形成する。当接部１７ｂは、挿入部１６ｂが複数のクリップ１０に挿入された際に下側巾木台９の下側鉛直部９ｂに当接する。
【００２９】
次に、図４を用いて、巾木装置８の換気経路を説明する。
図４は図２のＢ−Ｂ線における断面図である。
【００３０】
図４に示されるように、下側巾木台９における上側の下側水平部９ａと上側巾木台１２の下側の上側水平部１２ａとの間において複数のスペーサー１１が存在しない領域においては、隙間が確保される。このため、かご２の外側からかご２の内側に向けて、空気が水平方向に流れる。
【００３１】
しかしながら、化粧部１７ａは、下側巾木台９における上側の下側水平部９ａと上側巾木台１２における下側の上側水平部１２ａとの間の隙間をかご２の内側から遮蔽する。
【００３２】
このため、当該空気は、化粧部１７ａに水平方向の流れを遮られる。その結果、当該空気は、上方に流れる。その後、当該空気は、巾木本体１３と側壁５との間の隙間を通過してかご２の内側に流れる。
【００３３】
以上で説明した実施の形態１によれば、上側巾木台１２は、かご２の内側から下側巾木台９と側壁５とに固定される。巾木本体１３は、かご２の内側からクリップ１０に挿入される。この際、巾木本体１３は、下側巾木台９と上側巾木台１２とともにラビリンス構造の換気経路を形成する。ラビリンス構造においては、換気経路の距離を長くすることができる。その結果、遮音性能を維持しつつ、側壁５を容易に取り付けることができる。
【００３４】
また、複数のスペーサー１１は、下側巾木台９における上側の下側水平部９ａの上面に水平方向に並んで配置される。このため、下側巾木台９における上側の下側水平部９ａと上側巾木台１２の下側の上側水平部１２ａとの間において、換気のための隙間を容易に形成することができる。
【００３５】
また、化粧板１７において、当接部１７ｂは、挿入部１６ｂが複数のクリップ１０に挿入された際に下側巾木台９の下側鉛直部９ｂに当接する。このため、複数のクリップ取付用穴からかごの内側に流入する音を小さくすることができる。
【００３６】
実施の形態２．
図５は実施の形態２におけるエレベーターの巾木装置の図３相当図である。なお、実施の形態１の部分と同一又は相当部分には同一符号が付される。当該部分の説明は省略される。
【００３７】
実施の形態２の巾木装置８は、実施の形態１の巾木装置８に対して第１吸音材１８ａと第２吸音材１８ｂとが付加された装置である。
【００３８】
第１吸音材１８ａは、第１取付金１６の第１固定部１６ａにおけるかご２の外側の全面を覆うように固定される。第２吸音材１８ｂは、化粧板１７の化粧部１７ａにおけるかご２の外側の面のうち、前記第１取付金１６よりも上方の位置にある面を覆うように固定される。第１吸音材１８ａと第２吸音材１８ｂとは、音を吸収し得るように設けられる。
【００３９】
以上で説明した実施の形態２によれば、第１吸音材１８ａと第２吸音材１８ｂとは、巾木本体１３におけるかご２の外側の面に固定される。このため、下側巾木台９と巾木本体１３との間の反響音および上側巾木台１２と巾木本体１３との間の反響音とを小さくすることができる。
【００４０】
実施の形態３．
図６は実施の形態３におけるエレベーターの巾木装置の図３相当図である。図７は実施の形態３におけるエレベーターの巾木装置の図４相当図である。なお、実施の形態１の部分と同一又は相当部分には同一符号が付される。当該部分の説明は省略される。
【００４１】
実施の形態３の巾木装置８は、実施の形態１の巾木装置８に対してＬ字状の第２取付金１９が付加された装置である。
【００４２】
Ｌ字状の第２取付金１９は、第１取付金１６の上方に配置される。第２取付金１９においては、第２固定部１９ａと経路変更部１９ｂとが一体形成される。
【００４３】
第２固定部１９ａは、第１固定部１６ａの上方において化粧部１７ａにおけるかご２の外側の面に固定される。経路変更部１９ｂは、第２固定部１９ａの上側に連結した状態で第２固定部１９ａからかご２の外側に突き出す水平面を形成する。経路変更部１９ｂは、挿入部１６ｂが複数のクリップ１０に挿入された際に上側巾木台１２の一対の上側水平部１２ａの間に配置された状態で上側巾木台１２の上側鉛直部１２ｂに接触しない。
【００４４】
その結果、上側巾木台１２と巾木本体１３との間で、換気経路のラビリンス構造は、実施の形態１よりも複雑になる。このため、換気経路は、実施の形態１よりも長くなる。
【００４５】
以上で説明した実施の形態３によれば、第２取付金１９は、上側巾木台１２と巾木本体１３との間のラビリンス構造をより複雑にする。このため、かご２の外側から内側に流れる音に対し、より高い距離減衰を得ることができる。
【００４６】
実施の形態４．
図８は実施の形態４におけるエレベーターの巾木装置の図３相当図である。なお、実施の形態３の部分と同一又は相当部分には同一符号が付される。当該部分の説明は省略される。
【００４７】
実施の形態４の巾木装置８は、実施の形態３の巾木装置８に対して第３吸音材１８ｃと第４吸音材１８ｄと第５吸音材１８ｅと第６吸音材１８ｆと第７吸音材１８ｇとが付加された装置である。
【００４８】
第３吸音材１８ｃは、第１取付金１６の第１固定部１６ａにおけるかご２の外側の全面を覆うように固定される。第４吸音材１８ｄは、第２取付金１９の第２固定部１９ａにおけるかご２の外側の全面を覆うように固定される。第５吸音材１８ｅは、第２取付金１９の経路変更部１９ｂにおける下側の全面を覆うように固定される。第６吸音材１８ｆは、第２取付金１９の経路変更部１９ｂにおける上側の全面を覆うように固定される。第７吸音材１８ｇは、化粧板１７の化粧部１７ａにおけるかご２の外側の面のうち、前記第２取付金１９よりも上方の位置にある面を覆うように固定される。第３吸音材１８ｃと第４吸音材１８ｄと第５吸音材１８ｅと第６吸音材１８ｆと第７吸音材１８ｇとは、音を吸収し得るように設けられる。
【００４９】
以上で説明した実施の形態４によれば、第３吸音材１８ｃと第４吸音材１８ｄと第５吸音材１８ｅと第６吸音材１８ｆと第７吸音材１８ｇとは、巾木本体１３におけるかご２の外側の面に固定される。下側巾木台９と巾木本体１３との間の反響音および上側巾木台１２と巾木本体１３との間の反響音とを小さくすることができる。
【産業上の利用可能性】
【００５０】
以上のように、この発明に係るエレベーターの巾木装置は、エレベーターシステムに利用できる。
【符号の説明】
【００５１】
１  昇降路、  ２  かご、  ３  かごドア、  ４  床、  ５  側壁、  ６  天井、  ７  照明板、  ８  巾木装置、  ９  下側巾木台、  ９ａ  下側水平部、  ９ｂ  下側鉛直部、  １０  クリップ、  １１  スペーサー、  １２  上側巾木台、  １２ａ  上側水平部、  １２ｂ  上側鉛直部、  １３  巾木本体、  １４  ボルト、  １５  ナット、  １６  第１取付金、  １６ａ  第１固定部、  １６ｂ  挿入部、  １７  化粧板、  １７ａ  化粧部、  １７ｂ  当接部、  １８ａ  第１吸音材、  １８ｂ  第２吸音材、  １８ｃ  第３吸音材、  １８ｄ  第４吸音材、  １８ｅ  第５吸音材、  １８ｆ  第６吸音材、  １８ｇ  第７吸音材、  １９  第２取付金、  １９ａ  第２固定部、  １９ｂ  経路変更部
【図１】
2020225849.tif 000003
【図２】
2020225849.tif 000004
【図３】
2020225849.tif 000005
【図４】
2020225849.tif 000006
【図５】
2020225849.tif 000007
【図６】
2020225849.tif 000008
【図７】
2020225849.tif 000009
【図８】
2020225849.tif 000010
【国際調査報告】
2020225849.tif 000011
2020225849.tif 000012
2020225849.tif 000013
2020225849.tif 000014